(57)【要約】【課題】足場支柱が建物の外壁部に近接して位置するような場合でも、ベース金具を敷板本体上の中央部から建物外壁部に近い方へずらすことで敷板本体上の所定位置でベース金具を的確に固定できるようにした足場支柱のベース金具用敷板を提供する。【解決手段】足場支柱３の下端部に装着されるジャッキ４の正方形ベース金具５を支持する敷板１である。敷板本体２の上面には、ベース金具５を敷板本体２の中央部に載置した中央側位置及びコーナーに片寄って載置したコーナー側位置の各位置でベース金具５の４つのコーナー部のうち３つのコーナー部に係嵌してその係嵌した位置でベース金具５を固定可能にすると共にその固定位置に対しベース金具を所要角度回転させることでベース金具５の取り外しを可能とするように６つの係嵌用爪６を突設する。【選択図】図４
2010095974.tif 000002
【特許請求の範囲】
【請求項１】
足場支柱の下端部に装着されるジャッキの正方形ベース金具を支持する敷板であって、敷板本体の上面には、ベース金具を敷板本体の中央部に載置した中央側位置及びコーナーに片寄って載置したコーナー側位置の各位置でベース金具の４つのコーナー部のうち３つのコーナー部に係嵌してその係嵌した位置でベース金具を固定可能にすると共にその固定位置に対しベース金具を所要角度回転させることによってベース金具の取り外しを可能とするように６つの係嵌用爪を突設してなる足場支柱のベース金具用敷板。
【請求項２】
敷板本体は、天板部と、これの周縁から下向きに突出する周壁部と、この周壁部と天板部とで囲まれる空間部に枡目状又は蜘蛛の巣状に配設された補強リブとからなるもので、天板部には各係嵌用爪の平面視形状に対応する形状の開口部を設け、敷板を段積みする時に下段側敷板の各係嵌用爪を上段側敷板の開口部に突入させて、この状態で複数の敷板を段積み可能としてなる請求項１に記載の足場支柱のベース金具用敷板。
【請求項３】
前記各係嵌用爪は、平面視略Ｌ字形の立上壁部と、このＬ字形立上壁部の上端から水平内向きに突出する上壁部とからなる請求項１又は２に記載の足場支柱のベース金具用敷板。
【発明の詳細な説明】
【技術分野】
【０００１】
本発明は、建築工事現場において足場支柱の下端部に装着されるジャッキのベース金具を支持して、足場支柱を地面に安定に設置するためのベース金具用敷板に関する。
【背景技術】
【０００２】
従来のベース金具用敷板として、例えば下記特許文献１に示すようなものがある。この敷板は、平板状の敷板本体と、この敷板本体の上面の中央部側に、足場支柱の正方形状のベース金具の四隅部が嵌合するように設けられた４つの略Ｌ字状ガイド突起とからなるもので、使用に際しては、４つのガイド突起で囲まれる空間部に、足場支柱の正方形ベース金具を下ろして、このベース金具の四隅部を係合させることにより、敷板本体とベース金具とが横ズレすることなく、ベース金具を敷板本体上面の中央部側で保持して、足場支柱を容易に安定させることができる。
【特許文献１】実開平６−５９５３２号公報
【発明の開示】
【発明が解決しようとする課題】
【０００３】
上記従来の敷板は、敷板本体上面の中央部側でベース金具を保持するようになっているため、狭小地において例えば足場支柱が建物の外壁部に近接して位置する場合に、敷板本体の端部が建物外壁部に当たって敷板を接地させることができなくなる不都合があった。また、４つのガイド突起はベース金具の角部に単に係合するだけであるため、上下の振動によってベース金具が４つのガイド突起から離脱することがあった。
【０００４】
本発明は、上記の事情に鑑み、足場支柱が建物の外壁部に近接して位置するような場合でも、敷板本体を地面に接地させた状態で、ベース金具を敷板本体上の中央部から建物外壁部に近い方へずらすことにより敷板本体上の所定位置でベース金具を的確に固定させることができるようにした足場支柱のベース金具用敷板を提供することを目的とする。
【課題を解決するための手段】
【０００５】
上記課題を解決するための手段を、後述する実施形態の参照符号を付して説明すると、請求項１に係る発明は、足場支柱３の下端部に装着されるジャッキ４の正方形ベース金具５を支持する敷板１であって、敷板本体２の上面には、ベース金具５を敷板本体２の中央部に載置した中央側位置及びコーナーに片寄って載置したコーナー側位置の各位置でベース金具５の４つのコーナー部のうち３つのコーナー部に係嵌してその係嵌した位置でベース金具５を固定可能にすると共にその固定位置に対しベース金具を所要角度回転させることによってベース金具５の取り外しを可能とするように６つの係嵌用爪６・・・を突設してなることを特徴とする。
【０００６】
請求項２は、請求項１に記載の足場支柱のベース金具用敷板において、敷板本体２は、天板部７と、これの周縁から下向きに突出する周壁部８と、この周壁部８と天板部７とで囲まれる空間部に枡目状又は蜘蛛の巣状に配設された補強リブ９とからなるもので、天板部７には各係嵌用爪６の平面視形状に対応する形状の開口部１０を設け、敷板１を段積みする時に下段側敷板１の各係嵌用爪６を上段側敷板１の開口部１０に突入させて、この状態で複数の敷板１を段積み可能としてなることを特徴とする。
【０００７】
請求項３は、請求項１又は２に記載の足場支柱のベース金具用敷板において、前記各係嵌用爪６は、平面視略Ｌ字形の立上壁部６ａと、このＬ字形立上壁部６ａの上端から水平内向きに突出する上壁部６ｂとからなることを特徴とする。
【発明の効果】
【０００８】
上記解決手段による発明の効果を、後述する実施形態の参照符号を付して説明すると、請求項１に係る発明によれば、通常は、ジャッキ４のベース金具５を敷板本体２上面の中央側位置に載置して、この中央側位置にある３つの係嵌用爪６，６，６で正方形ベース金具５の３つのコーナー部を係嵌させることにより、ベース金具５を的確に固定することができる。この中央側固定位置からベース金具５を取り外す時は、ベース金具５を所要角度回転させることによって、ベース金具５を中央側位置にある３つの係嵌用爪６，６，６から離脱させて簡単に取り外すことができる。
【０００９】
また、足場支柱３が建物外壁部Ｗに近接して位置する時に、ベース金具５を敷板１の上面中央側に載置したのでは、敷板本体２の端部が建物外壁部Ｗに当たって敷板１を地面に接地させることができなくなる場合は、ベース金具５を建物Ｈの外壁部Ｗに近い敷板本体２のコーナー側位置にセットすればよく、それによって足場支柱３が建物Ｈの外壁部Ｗに近接しても、敷板１を地面に的確に接地させて、ベース金具５を的確に固定することができる。
【００１０】
また、敷板本体２の上面は、６つの係嵌用爪６が突設されている箇所以外は全面的にフラットであるから、敷板本体２上面でのベース金具５の回転が容易に可能であると共に、ベース金具５を敷板本体２上面の中央側位置とコーナー側位置の間で位置替えする時は、ベース金具５を、そのコーナー部が係嵌用爪６に係嵌しない状態に適当角度回転させて、そのまま敷板本体２の上面をスライドさせるだけで、中央側位置からコーナー側位置へ、またコーナー側位置から中央側位置へと簡単容易に位置替えすることができる。
【００１１】
請求項２に係る発明によれば、敷板本体２は、天板部７と、これの周縁から下向きに突出する周壁部８と、この周壁部８と天板部７とで囲まれる空間部に配設された補強リブ９とからなるもので、天板部７には各係嵌用爪６の平面視形状に対応する形状の開口部１０が設けてあるから、敷板１を段積みする時は、下段側敷板１の各係嵌用爪６を上段側敷板１の開口部１０に突入させることにより、複数の敷板１を上下に安定状態に積み重ねることができて荷崩れを防止できる。また、上記のような敷板本体２の構造により、敷板本体２の軽量化を図ると共に、その強度の増大を図ることができる。
【００１２】
請求項３に係る発明のように、各係嵌用爪６を、平面視略Ｌ字形の立上壁部６ａと、このＬ字形立上壁部６ａの上端から水平内向きに突出する上壁部６ｂとからなるものとすれば、正方形ベース金具５の３つのコーナー部を的確に係嵌できると共に、ベース金具５を所要角度回転させることによりベース金具５の取り外しを容易にすることができる。
【発明を実施するための最良の形態】
【００１３】
以下に本発明の好適な一実施形態を図面に基づいて説明すると、図１の(a) は本発明に係るベース金具用敷板を示す斜視図、(b) は同敷板の使用状態を示す概略説明図であり、図２の(a) は同敷板の平面図、(b) はその底面図であり、図３の(a) は図２の(a) の矢印Ａから見た敷板の側面図、(b) は図２の(a) の矢印Ｂから見た敷板の側面図、(c) は図２の(a) の矢印Ｃから見た敷板の側面図、(d) は図２の(a) のＤ−Ｄ線断面図、(e) は図２の(a) のＥ−Ｅ線断面図である。
【００１４】
この敷板１は、図１の(b) に示すような足場支柱３の下端部に装着されるジャッキ４の正方形状ベース金具５を支持するもので、プラスチック材によって成形された平面視正方形の敷板本体２を有し、敷板本体２上面には、正方形のベース金具５を、図２の(a) 及び図４の(a) に５(a-1) で示すように敷板本体２の中央部に載置した中央側位置と、図２の(a) 及び図４の(b) に５(b-1) で示すように敷板本体２のコーナーに片寄って載置したコーナー側位置との各位置で、正方形ベース金具５の４つのコーナー部のうちの３つのコーナー部に係嵌してその係嵌した位置でベース金具５を固定可能にすると共に、各固定位置に対してベース金具５を図２の(a) に５(a-2) ，５(b-2) で示すように略４５度回転させることによってベース金具５の取り外しを可能とするように、６つの係嵌用爪６・・・が一体に突設されている。
【００１５】
上記のように敷板本体２上面に突設されている各係嵌用爪６は、図１の(a) 及び図２の(a) 及び図３の(d) ，(e) に示すように、平面視が略Ｌ字形の立上壁部６ａと、この立上壁部６ａの上端から水平内向きに突出して、平面視形状が不等辺五角形（図２(a) 参照）をなす上壁部６ｂとからなるもので、立上壁部６ａの内側面から上壁部６ｂの内側面にわたって複数条のリブ６ｏ・・・が条設されている。このリブ６ｏは、立上壁部６ａ及び上壁部６ｂを補強すると共に、ベース金具５のコーナー部に対し的確に係嵌する機能を有する。
【００１６】
敷板本体２は、図２の(b) 及び図３の(d) ，(e) から分かるように、天板部７と、この天板部７の周縁から下向きに突出する周壁部８と、この周壁部８と天板部７とで囲まれる空間部Ｓに蜘蛛の巣状に配設された補強リブ９とからなるもので、前記各係嵌用爪６は天板部７と一体に形成されている。また天板部７には、各係嵌用爪６の平面視形状である不等辺五角形に対応する形状の開口部１０（図２の(b) 参照）が設けられていて、図５に示すように敷板１を段積みする時に下段側敷板１の各係嵌用爪６を上段側敷板１の開口部１０に突入させて、この状態で複数の敷板１・・・を段積みすることができるようになっている。なお、この実施形態では、補強リブ９を前記空間部Ｓに蜘蛛の巣状に配設しているが、この補強リブ９は枡目状に配設してもよい。このような蜘蛛の巣状又は枡目状の補強リブ９を配設することにより、敷板本体２の軽量化を図ると共に、その強度の増大を図ることができる。
【００１７】
上記のように構成される敷板１を使用して、図１の(b) に示すように足場支柱３の下端部に装着されるジャッキ４のベース金具５を支持する際に、通常は、ジャッキ４のベース金具５を図２の(a) に５(a-1) の仮想線で示すような中央側位置にセットして、この中央側位置にある３つの係嵌用爪６，６，６で正方形ベース金具５の３つのコーナー部を係嵌させることにより、ベース金具５を固定することができる。
【００１８】
この中央側位置にベース金具５を固定するには、ベース金具５を、図２の(a) に、敷板本体２の天板部７上面中央側に５(a-2) の仮想線で示される位置に載置し、この５(a-2) の仮想線図示位置からベース金具５を略４５度回転させることにより、このベース金具５は、４つのコーナー部のうちの３つが３つの係嵌用爪６，６，６に夫々係嵌されて、同図の５(a-1) の仮想線で示される位置となり、この位置で３つの係嵌用爪６，６，６により固定されることになる。この固定位置からベース金具５を取り外す時は、ベース金具５を略４５度回転させて、図２の(a) に５(a-2) の仮想線で示す位置に戻せばよい。
【００１９】
尚、ベース金具５を固定位置に対し略４５度回転した位置、即ち図２の(a) の５(a-2) の仮想線図示位置では、２つの対向する係嵌用爪６，６の間隔Ｎが、正方形ベース金具５の対向辺間の長さＬよりも若干長いため、ベース金具５の挿脱が容易に可能となる。
【００２０】
また、図１の(b) に示すような使用状態において、足場支柱３が建物Ｈの外壁部Ｗに近接して位置する時に、ベース金具５を敷板１の上面中央側に載置したのでは、敷板本体２の端部が建物外壁部Ｗに当たって敷板１を地面に接地させることができなくなる場合は、図４の(b) に示すように、ベース金具５を建物Ｈの外壁部Ｗに近い敷板本体２のコーナーに片寄ったコーナー側位置にセットすればよく、それによって足場支柱３が建物Ｈの外壁部Ｗに近接しても、敷板１を地面に的確に接地させることができる。
【００２１】
即ち、この場合は、ベース金具５を、例えば、図２の(a) に敷板本体２の天板部７上面の中央側に５(a-2) の仮想線で示される位置に載置した状態から、そのままコーナー側へずらして同図の５(b-2) の仮想線図示位置に位置させ、この５(b-2) の仮想線図示位置でベース金具５を略４５度回転させることにより、このベース金具５は、３つのコーナー部が３つの係嵌用爪６，６，６に夫々係嵌されて同図の５(b-1) の仮想線で示される位置となり、この位置で３つの係嵌用爪６，６，６により固定されることになる。
【００２２】
また、図２の(a) の５(b-2) の仮想線図示位置でも、２つの対向する係嵌用爪６，６の間隔Ｎが、正方形ベース金具５の対向辺間の長さＬよりも若干長いため、ベース金具５の挿脱が容易に可能となる。
【００２３】
上記のように、足場支柱３が建物Ｈの外壁部Ｗに近接して配置されるような場合でも、敷板本体はをそのまま地面に接地させた状態で、ベース金具５を敷板本体２上の中央部側から建物外壁部Ｗに近い方へずらしてコーナー側に位置させることにより、そのコーナー側位置でベース金具５を的確に固定させることができる。
【００２４】
特に、この敷板１では、敷板本体２の上面が、６つの係嵌用爪６の突設されている箇所以外は全面的にフラットであるため、敷板本体２の上面でのベース金具５の回転が容易に可能であると共に、ベース金具５を敷板本体２上面の中央側位置とコーナー側位置の間で位置替えする時は、ベース金具５を、そのコーナー部が係嵌用爪６に係嵌しない状態に適当角度回転させて、そのまま敷板本体２の上面をスライドさせるだけで、中央側位置からコーナー側位置へ、またコーナー側位置から中央側位置へと簡単容易に位置替えすることができる。
【００２５】
また、この敷板１は、天板部７と、これの周縁から下向きに突出する周壁部８と、この周壁部８と天板部７とで囲まれる空間部に配設された補強リブ９とからなるもので、天板部７には各係嵌用爪６の平面視形状に対応する形状の開口部１０が設けてあるから、敷板１を段積みする時は、図５に示すように、下段側敷板１の各係嵌用爪６を上段側敷板１の開口部１０に突入させることによって、複数の敷板１を上下に安定状態に積み重ねることができて荷崩れを防止できる。
【００２６】
この場合、図５に示すように、各係嵌用爪６は、立上壁部６ａが敷板本体２の上面に対して所要角度で傾斜状に立ち上がった形状となっているから、段積みする時は、図５に示すように、各段の敷板１の周壁部８が同一面状に揃った状態で、下段側敷板１の各係嵌用爪６が上段側敷板１の開口部１０に突入すると共に、下段側敷板１の天板部７上面に上段側敷板１が載置することになって、複数段の敷板１を隙間なく有効に積み重ねることができる。
【００２７】
また、この敷板１は、上述のように敷板本体２上面の中央側位置とコーナー側位置とでベース金具５を固定できるようにしたものであるから、中央側固定位置とコーナー側固定位置とを夫々別の敷板に設ける場合に比べ、大きなコストダウンを図ることができる。
【図面の簡単な説明】
【００２８】
【図１】(a) は本発明に係るベース金具用敷板を示す斜視図、(b) は同敷板の使用状態を示す概略説明図である。
【図２】(a) は同敷板の平面図、(b) はその底面図である。
【図３】(a) は図２の(a) の矢印Ａから見た敷板の側面図、(b) は図２の(a) の矢印Ｂから見た敷板の側面図、(c) は図２の(a) の矢印Ｃから見た敷板の側面図、(d) は図２の(a) のＤ−Ｄ線断面図、(e) は図２の(a) のＥ−Ｅ線断面図である。
【図４】(a) は敷板の中央側にベース金具をセットした状態を示す斜視図、(b) は敷板のコーナー側にベース金具をセットした状態を示す斜視図である。
【図５】敷板の段積み状態を示す拡大断面図である。
【符号の説明】
【００２９】
１            敷板
２            敷板本体
３            足場支柱
４            ジャッキ
５            ベース金具
６            係嵌用爪
６ａ          立上壁部
６ｂ          上壁部
７            天板部
８            周壁部
９            補強リブ
１０          開口部
【図１】
2010095974.tif 000003
【図２】
2010095974.tif 000004
【図３】
2010095974.tif 000005
【図４】
2010095974.tif 000006
【図５】
2010095974.tif 000007